(57)【特許請求の範囲】
【請求項１】
身体の骨盤部分又はその周囲部分に巻回装着される骨盤ベルトであって、
掛止部材をそれぞれ独立して有し、その掛止部材による輪の形成とともに輪の大小による身体に対する締め付け力がそれぞれ独立して調節可能な上側ベルト及び下側ベルトと、前記上側ベルト及び前記下側ベルトを互いに連結する連結部とを有し、
前記下側ベルトは、身体の鼠径部、大腿部の外側面、臀溝を通る部分に巻回すべく設けられたものであり、
前記連結部は、前記上側ベルトと前記下側ベルトとの間隔を調節可能な調節部を備え、
前記上側ベルト及び前記下側ベルトと前記連結部とは、前記調節部による前記間隔の調節により生じる前記上側ベルトに対して前記下側ベルトを引き上げる力が、前記下側ベルトが巻回される臀部の下部を持ち上げる力として作用するように構成される
骨盤ベルト。
【請求項２】
骨盤の上部に巻かれる上側ベルトと、
臀部の下部に巻かれる下側ベルトと、
前記上側ベルトと前記下側ベルトとを連結する連結部とを備え、
前記下側ベルトが臀部に及ぼす締め付け力と前記連結部が前記下側ベルトに及ぼす引き上げ力との合力が身体の前方側に向かう斜め上方に作用するように前記連結部が構成される
骨盤ベルト。
【請求項３】
前記連結部は前記上側ベルトと前記下側ベルトとを連結する連結ベルトを含む
請求項２に記載の骨盤ベルト。
【請求項４】
一対の前記連結ベルトを備え、
前記一対の前記連結ベルトの一方は前記上側ベルト及び前記下側ベルトの中央部に対して前記上側ベルト及び前記下側ベルトの一方の端部側に設けられ、
前記一対の前記連結ベルトの他方は前記上側ベルト及び前記下側ベルトの中央部に対して前記上側ベルト及び前記下側ベルトの他方の端部側に設けられ、
前記一方の前記連結ベルトと前記下側ベルトとが連結される部分と、前記他方の前記連結ベルトと前記下側ベルトとが連結される部分との間隔は、前記一方の前記連結ベルトと前記上側ベルトとが連結される部分と、前記他方の前記連結ベルトと前記上側ベルトとが連結される部分との間隔よりも狭い
請求項３に記載の骨盤ベルト。
【請求項５】
骨盤の上部に巻かれる上側ベルトと、
臀部の下部に巻かれる下側ベルトと、
前記上側ベルトと前記下側ベルトとを連結する一対の連結ベルトとを備え、
前記一対の前記連結ベルトの一方は前記上側ベルト及び前記下側ベルトの中央部に対して前記上側ベルト及び前記下側ベルトの一方の端部側に設けられ、
前記一対の前記連結ベルトの他方は前記上側ベルト及び前記下側ベルトの中央部に対して前記上側ベルト及び前記下側ベルトの他方の端部側に設けられ、
前記一方の前記連結ベルトと前記下側ベルトとが連結される部分と、前記他方の前記連結ベルトと前記下側ベルトとが連結される部分との間隔は、前記一方の前記連結ベルトと前記上側ベルトとが連結される部分と、前記他方の前記連結ベルトと前記上側ベルトとが連結される部分との間隔よりも狭い
骨盤ベルト。
【請求項６】
前記一対の前記連結ベルトは前記上側ベルト側から前記下側ベルト側に向かうにつれて互いの間隔が狭くなるように上下方向に対して傾斜する
請求項４又は５に記載の骨盤ベルト。
【発明の詳細な説明】
【技術分野】
【０００１】
本発明は、骨盤を周囲から締め付ける骨盤ベルトに関するものである。
【背景技術】
【０００２】
従来、痩身・矯正用具の一つに骨盤ベルトがある。骨盤ベルトは、身体の骨盤部分の周囲に巻回されてその周囲から締め付けを行うことで、骨盤の歪み（開き）を矯正する効果や、下腹部等の痩身効果を得るようにしたものである。
【０００３】
例えば、特許文献１に開示される骨盤ベルトは、弾性を有する複数のベルトで構成されている。同文献１の第２図に開示の骨盤ベルトは、１つの輪状ベルトを用いて２つのベルトとして機能させる構成となっており、２つのベルトには共通の掛止具が備えられている。つまり、掛止具によりベルトの端部同士を掛け止めた状態では、２つのベルトをそれぞれ輪状に形成することが可能となっている。
【０００４】
このような骨盤ベルトを身体に対して装着する例としては、掛止具が身体前面の下腹部（へそ下辺り）に位置するようにして２つのベルトが骨盤部分の周囲に巻回され、その内の上側ベルトは、身体後面の腰部を通るように略水平に骨盤部分の上側に巻回される。一方、下側ベルトは、身体後面において臀部と太股の境界にある臀溝を通るように側方視で斜めに巻回される。そして、ベルトの弾性復帰による締め付け力が生じることにより、上側及び下側ベルトにて骨盤の矯正や下腹部等の痩身効果が期待できるのに加え、下側ベルトにてヒップアップ効果も期待できる。
【先行技術文献】
【特許文献】
【０００５】
【特許文献１】特開平１１−２９０３６２号公報
【発明の概要】
【発明が解決しようとする課題】
【０００６】
ところで、複数のベルトを有する上記のような骨盤ベルトは、身体に装着した状態で歩いたり座ったり等の姿勢変化が生じると、動きの大きい臀部に巻回される下側ベルトが位置ずれしやすい。また、上記の骨盤ベルトの構成上、下側ベルトは掛止具から側方視で斜めに巻回されその輪も大きいことからも、位置ずれしやすいと推察できる。下側ベルトが位置ずれした状態では、ヒップアップ効果が十分に得られなくなることが懸念される。
【０００７】
本発明の目的は、複数のベルトを有する構成の骨盤ベルトにおいて、各ベルトがそれぞれの装着位置から位置ずれしにくくし、各ベルトの締め付けによる効果を十分に得ることができる骨盤ベルトを提供することである。
【課題を解決するための手段】
【０００８】
本発明の一形態に従う骨盤ベルトは、身体の骨盤部分又はその周囲部分に巻回装着される骨盤ベルトであって、掛止部材をそれぞれ独立して有し、その掛止部材による輪の形成とともに輪の大小による身体に対する締め付け力がそれぞれ独立して調節可能な上側及び下側ベルトと、前記上側及び下側ベルトを互いに連結する連結部とを有するものである。
【発明の効果】
【０００９】
骨盤ベルトの一形態は、複数のベルトを有する構成の骨盤ベルトにおいて、各ベルトがそれぞれの装着位置から位置ずれしにくくなり、各ベルトの締め付けによる効果を十分に得ることができる。
【図面の簡単な説明】
【００１０】
【図１】実施の形態１における骨盤ベルトの平面図。
【図２】（ａ）は実施の形態２における骨盤ベルトの装着状態を示す側面図、（ｂ）はその後面図。
【図３】実施の形態２における骨盤ベルトの平面図。
【図４】（ａ）は実施の形態２における骨盤ベルトの装着状態を示す側面図、（ｂ）はその後面図。
【図５】変形例における骨盤ベルトの平面図。
【発明を実施するための形態】
【００１１】
［１］本発明の一形態に従う骨盤ベルトは、身体の骨盤部分又はその周囲部分に巻回装着される骨盤ベルトであって、掛止部材をそれぞれ独立して有し、その掛止部材による輪の形成とともに輪の大小による身体に対する締め付け力がそれぞれ独立して調節可能な上側及び下側ベルトと、前記上側及び下側ベルトを互いに連結する連結部とを有するものである。
【００１２】
この骨盤ベルトによれば、上側ベルトと下側ベルトは、それぞれ独立した掛止部材を有していることから、掛止部材による輪の形成とともに輪の大小による身体に対する締め付け力がそれぞれ独立して調節可能である。これにより、上側及び下側ベルトがそれぞれ位置ずれしにくく、両ベルトの締め付けによる効果を十分得ることができる。
【００１３】
［２］前記骨盤ベルトの一例によれば、前記下側ベルトは、身体の鼠径部、大腿部の外側面、臀溝を通る部分に巻回すべく設けられたものである。
この骨盤ベルトによれば、前記下側ベルトは、身体の鼠径部、大腿部の外側面、臀溝を通る部分に巻回されるため、大腿部の外側面部から体軸に近づく方向の力が作用する。そのため、大腿部が外転しにくくなり、骨盤の開きを抑制することもできる。
【００１４】
［３］前記骨盤ベルトの一例によれば、前記連結部は、前記上側及び下側ベルトの互いの間隔を調節可能な調節部を備えるものである。
この骨盤ベルトによれば、連結部が有する調節部によって、上側ベルト及び下側ベルトとの間隔を調節できる。これにより、装着者の体型に応じて上側及び下側ベルトをそれぞれ適切な位置に装着することが期待できる。
【００１５】
［４］前記骨盤ベルトの一例によれば、前記上側及び下側ベルトと前記連結部とは、前記調節部による前記上側及び下側ベルトの互いの間隔の調節にて前記上側ベルトに対して前記下側ベルトを引き上げる力を生じさせた際、前記下側ベルトが巻回される前記臀溝部分を持ち上げる力として作用するように構成されるものである。
【００１６】
この骨盤ベルトによれば、調節部の調節により、上側ベルトに対して下側ベルトを引き上げる力を生じさせることで、下側ベルトにて臀溝を持ち上げる力が作用するので、ヒップアップ効果を得ることができる。
【００１７】
（実施の形態１）
以下、骨盤ベルトの実施の形態１を図１及び図２に従って説明する。
図１及び図２に示すように、骨盤ベルト１０は、装着者２０に対して装着した状態で、上側に位置する上側ベルト１１と、上側ベルト１１よりも下方に位置する下側ベルト１２とを有している。また、骨盤ベルト１０は、上側ベルト１１と下側ベルト１２とを連結する一対の連結ベルト１３を有している。
【００１８】
上側ベルト１１及び下側ベルト１２は、略等しい長さで帯状をなし、本実施の形態では例えばポリエステル繊維やナイロン繊維を織り込んだ非伸縮性の布地とされている。上側及び下側ベルト１１，１２の一端部には締め付けベルト１１ａ，１２ａが、他端部には締め付けベルト１１ａ，１２ａを固定する固定金具１１ｂ，１２ｂがそれぞれ設けられている。固定金具１１ｂ，１２ｂと締め付けベルト１１ａ，１２ａとは、上側及び下側ベルト１１，１２をそれぞれ輪状に形成したときに、締め付けベルト１１ａ，１２ａが固定金具１１ｂ，１２ｂに対して固定される。この場合、締め付けベルト１１ａ，１２ａの固定位置は適宜調節可能である。つまり、上側及び下側ベルト１１，１２の輪の大きさが適宜調節できるようになっている。
【００１９】
連結ベルト１３は、一対設けられ、上側及び下側ベルト１１，１２の中央部が一致するように互いを連結し、また上側及び下側ベルト１１，１２の間隔を適宜調節可能とするものである。連結ベルト１３の一方は、上側及び下側ベルト１１，１２の中央部よりも締め付けベルト１１ａ，１２ａ側で、他方は上側及び下側ベルト１１，１２の中央部よりも固定金具１１ｂ，１２ｂ側に設けられている。
【００２０】
連結ベルト１３は、具体的には、引き上げベルト１３ａと、固定ベルト１３ｂと、調節金具１３ｃとにより構成されている。引き上げベルト１３ａ及び固定ベルト１３ｂは、上側及び下側ベルト１１，１２と同様の素材で帯状に作製されている。
【００２１】
一対の連結ベルト１３におけるそれぞれの固定ベルト１３ｂの基端部は下側ベルト１２に固定され、先端部に調節金具１３ｃが取り付けられている。固定ベルト１３ｂは、対をなす同士で先端部が互いに離間するように斜めに取り付けられている。一方、一対の連結ベルト１３におけるそれぞれの引き上げベルト１３ａは、固定ベルト１３ｂに対応して斜めとなるように基端部が上側ベルト１１にそれぞれ固定されている。
【００２２】
そして、引き上げベルト１３ａの先端部を調節金具１３ｃにて折り返すようにして装着させることで、引き上げベルト１３ａと固定ベルト１３ｂとが互いに連結、すなわち上側及び下側ベルト１１，１２が互いに連結される。また、引き上げベルト１３ａの調節金具１３ｃとの装着位置を変更することで、上側及び下側ベルト１１，１２の互いの間隔が調節できるようになっている。
【００２３】
次に、装着者２０の身体への骨盤ベルト１０の装着手順・装着態様について説明する。
図２（ａ）（ｂ）に示すように、装着手順の一例としてまず、装着者２０は、自身の身体前面において、上側ベルト１１の固定金具１１ｂを下腹部２１の上側（へそ２７の下側辺り）に位置させる。この状態から装着者２０は、上側ベルト１１を装着者２０の下腹部２１から身体側面、腰部２２、逆側の側面から再び身体前面の下腹部２１にかけて１周巻回させる。巻回後、装着者２０は、締め付けベルト１１ａを固定金具１１ｂに固定させる。これにより、上側ベルト１１は、骨盤部分の上部に巻回される。この際、固定金具１１ｂに対する締め付けベルト１１ａの固定位置を調節することにより、上側ベルト１１による骨盤の上側部分の締め付け強さが調節される。
【００２４】
次いで、装着者２０は、下側ベルト１２の固定金具１２ｂを下腹部２１と大腿部２３の境界部分にある鼠径部２４付近に位置させる。この状態から装着者２０は、下側ベルト１２を鼠径部２４から大腿部２３の外側面を通り、臀部２５と大腿部２３との境界部である臀溝２６にかかるように巻回させ、そこから逆側の大腿部２３の外側面から再び鼠径部２４付近に戻るように１周巻回させる。この場合、下側ベルト１２は、上側ベルト１１と交差せず、上側ベルト１１と略平行（略水平）となるように巻回される。巻回後、装着者２０は、締め付けベルト１２ａを固定金具１２ｂに固定させる。これにより、下側ベルト１２は、大腿部２３及び臀溝２６に巻回される。この場合も、固定金具１２ｂに対する締め付けベルト１２ａの固定位置を調節することにより、下側ベルト１２による骨盤の下側部分や臀溝２６部分の締め付け強さが調節される。
【００２５】
次いで、装着者２０は、連結ベルト１３において引き上げベルト１３ａを引っ張り、調節金具１３ｃに対する引き上げベルト１３ａの固定位置を調節する。これにより、上側ベルト１１と下側ベルト１２との間隔が装着者２０の骨盤周りの身体形状に応じて調節される。このようにして、骨盤ベルト１０が装着者２０の骨盤部分に装着される。
【００２６】
次に、骨盤ベルト１０の作用について説明する。
骨盤ベルト１０が装着者２０の骨盤部分に装着され、上側ベルト１１と下側ベルト１２との締め付け力が作用するにより、装着者２０の骨盤の歪み（開き）が矯正される。また、上側ベルト１１を主とした締め付け力は、装着者２０の下腹部２１等の痩身にも作用することが期待できる。
【００２７】
また、下側ベルト１２と連結ベルト１３との連結部分においては、下側ベルト１２の締め付け力（ベクトルＡ）と、連結ベルト１３の引き上げ力（ベクトルＢ）とが作用する。つまり、下側ベルト１２と連結ベルト１３の連結部分には、ベクトルＡ，Ｂの合成ベクトルＣとする斜め上方（身体の側方視でへそ２７辺りに向かう）の引っ張り力が作用する。このことで、一対（左右）の連結ベルト１３の連結部分間に位置する下側ベルト１２の部分は装着者２０の臀溝２６部分に位置することから、上記の引っ張り力（ベクトルＣ）が臀部２５の下部を持ち上げる所謂ヒップアップとして作用することが期待できる。
【００２８】
また、下側ベルト１２を主とした大腿部２３の外側面から体軸に向かうベクトルＤの力は、装着者２０の大腿部２３の外転抑制として作用することも期待できる。
実施の形態１の骨盤ベルト１０によれば、以下に示される効果が得られる。
【００２９】
（１）上側及び下側ベルト１１，１２は、それぞれ独立した締め付けベルト１１ａ及び固定金具１１ｂと締め付けベルト１２ａ及び固定金具１２ｂとを有している。つまり、締め付けベルト１１ａ，１２ａと固定金具１１ｂ，１２ｂによる輪の形成とともに輪の大小による装着者２０の身体に対する締め付け力がそれぞれ独立して調節可能であるので、上側及び下側ベルト１１，１２がそれぞれ位置ずれしにくく、両ベルト１１，１２の締め付けによる効果を十分得ることができる。
【００３０】
（２）下側ベルト１２は、装着者２０の鼠径部２４、大腿部２３の外側面、臀溝２６を通る部分に巻回されるため、大腿部２３の外側面から体軸に向かうベクトルＤの力が作用する。そのため、大腿部２３が外転しにくくなり、骨盤の開きを抑制することができる。
【００３１】
（３）連結ベルト１３の引き上げベルト１３ａ及び調節金具１３ｃによって、上側及び下側ベルト１１，１２の間隔を調節することができる。これにより、装着者２０の体型に応じて上側及び下側ベルト１１，１２をそれぞれ適切な位置に装着することが期待できる。
【００３２】
（４）下側ベルト１２と連結ベルト１３との連結部分においては、下側ベルト１２の締め付け力（ベクトルＡ）と、連結ベルト１３の引き上げ力（ベクトルＢ）とが作用する。つまり、下側ベルト１２と連結ベルト１３の連結部分には、ベクトルＡ，Ｂの合成ベクトルＣとする斜め上方（身体の側方視でへそ２７辺りに向かう）の引っ張り力が作用する。したがって、下側ベルト１２と連結ベルト１３の連結部分には、２つのベクトルを合成した合成ベクトルＣが作用する。つまり、一対（左右）の連結ベルト１３の連結部分間に位置する下側ベルト１２の部分は装着者２０の臀溝２６部分に位置することから、上記の引っ張り力（ベクトルＣ）が臀部２５の下部を持ち上げる所謂ヒップアップとして作用することが期待できる。
【００３３】
（実施の形態２）
以下、骨盤ベルトの実施の形態２を図３及び図４に従って説明する。なお、本実施の形態の骨盤ベルト３０は、上記実施の形態１の骨盤ベルト１０と若干形状は異なるもののほぼ同様に構成されており、相違点としては上側ベルト１１と下側ベルト１２とを連結する連結部３１の構成が若干異なっている。
【００３４】
具体的には、上側ベルト１１の中央部にて下側ベルト１２に向かって膨出する上側連結部３１ａと、下側ベルト１２の中央部にて上側ベルト１１に向かって膨出する下側連結部３１ｂとを互いに繋げて形成することで連結部３１が形成されている。つまり、本実施の形態の連結部３１は、上側及び下側ベルト１１，１２に一体的に形成したものである。
【００３５】
実施の形態２の骨盤ベルト３０によれば、以下に示される効果が得られる。
（１）上記実施の形態１の（１）と同様の効果を得る。
（２）連結部３１が上側及び下側ベルト１１，１２に一体形成されるため、骨盤ベルト３０の部品点数が少なくて済み、構造も簡単である。
【００３６】
（３）連結部３１によって臀部２５が全体的に締め付けられる。これにより、臀部２５の引き締め効果の増大が期待できる。
（変形例）
実施の形態に関する説明は本発明の骨盤ベルトが取り得る形態の例示であり、その形態を制限することを意図していない。本発明の骨盤ベルトは実施の形態以外に例えば以下に示される実施の形態の変形例を取り得る。
【００３７】
・実施の形態１及び２において、上側及び下側ベルト１１，１２が有する掛止部材は、締め付けベルト１１ａ，１２ａ及び固定金具１１ｂ，１１ｂに限らない。例えば図５に示すように面ファスナ３２を採用してもよい。このように構成した場合でも、上記実施の形態１及び２と同様の効果を得ることができる。
【００３８】
・実施の形態１の上側及び下側ベルト１１，１２の幅は、約３０〜１５０ｍｍが望ましく、一層望ましいのは８０〜１００ｍｍである。
・実施の形態１の連結ベルト１３における引き上げベルト１３ａ及び固定ベルト１３ｂの幅は約１０〜５０ｍｍが望ましく、一層望ましいのは２０〜４０ｍｍである。
【００３９】
・実施の形態１及び２の骨盤ベルト１０，３０の装着手順において、まず上側ベルト１１から取り付け、次に下側ベルト１２を取り付けたが、逆の手順で取り付けてもよい。
・実施の形態１及び２の骨盤ベルト１０，３０において、非伸縮性の布地ベルトよって構成されていたが、これに限らない。例えば弾性を有するベルトを用いてもよい。
【産業上の利用可能性】
【００４０】
本骨盤ベルトは、美容用及び健康用の痩身・矯正器具として利用することができる。
【符号の説明】
【００４１】
１１  上側ベルト
１２  下側ベルト
１１ａ，１１ｂ  締め付けベルト（掛止部材）
１２ａ，１２ｂ  固定金具（掛止部材）
１３  連結ベルト（連結部）
１３ａ  引き上げベルト（調節部）
１３ｃ  調節金具（調節部）
２３  大腿部
２４  鼠径部
２６  臀溝
３１  連結部
Ａ，Ｂ  ベクトル
Ｃ  合成ベクトル
【図１】
0006350990.tif 000002
【図２】
0006350990.tif 000003
【図３】
0006350990.tif 000004
【図４】
0006350990.tif 000005
【図５】
0006350990.tif 000006